(57)【要約】【課題】本発明の課題は、送受信側の変復調方式の能力が異なっても回路規模を増大させることなく受信側の復調能力に応じてデータを復調することのできる変復調装置及び変復調方法を提供することである。【解決手段】上記課題は、複数の変調方式を用いてデータを変調し、その変調したデータを復調装置に送信する変調装置において、前記データを前記複数の変調方式で階層的に変調する階層変調手段と、前記階層変調手段により階層的に変調されたデータを前記復調装置に送信する送信手段と、を備えたことを特徴とする変調装置並びに変調装置にて複数の変調方式で変調されたデータを受信して復調する復調装置において、前記変調装置にて複数の変調方式で階層的に変調されたデータを受信する受信手段と、前記階層的に変調されたデータを特定階層の復調方式で復調する階層復調手段と、を備えたことを特徴とする復調装置にて解決される。【選択図】　図２
2004128987.tif 000002
【特許請求の範囲】
【請求項１】
複数の変調方式を用いてデータを変調し、その変調したデータを復調装置に送信する変調装置において、
前記データを前記複数の変調方式で階層的に変調する階層変調手段と、
前記階層変調手段により階層的に変調されたデータを前記復調装置に送信する送信手段と、を備えたことを特徴とする変調装置。
【請求項２】
請求項１記載の変調装置において、
前記階層変調手段は、
変調方式に応じた標本間隔で前記データを標本化させる標本化パターンを生成する変調方式別標本化パターン生成手段を備え、
この標本化パターンに基づいて標本化された前記データのデジタル信号を元に該データを階層的に変調することを特徴とする変調装置。
【請求項３】
請求項２記載の変調装置において、
前記標本化パターンは、多相ＰＳＫ（Ｐｈａｓｅ　Ｓｈｉｆｔ　Ｋｅｙｉｎｇ）又は多値ＱＡＭ（Ｑｕａｄｒａｔｕｒｅ　Ａｍｐｌｉｔｕｄｅ　Ｍｏｄｕｌａｔｉｏｎ）で用いられる信号の標本間隔をパターン化したものであることを特徴とする変調装置。
【請求項４】
請求項２又は３記載の変調装置において、
前記送信手段は、前記変調方式別標本化パターン生成手段によって生成された標本化パターンを、前記変調手段によって変調されたデータと合わせて送信する標本パターン送信手段を備えたことを特徴とする変調装置。
【請求項５】
変調装置にて複数の変調方式で変調されたデータを受信して復調する復調装置において、
前記変調装置にて複数の変調方式で階層的に変調されたデータを受信する受信手段と、
前記階層的に変調されたデータを特定階層の復調方式で復調する階層復調手段と、を備えたことを特徴とする復調装置。
【請求項６】
請求項５記載の復調装置において、
前記階層復調手段は、前記階層的に変調されたデータの復調に用いる復調方式を、複数の復調方式の中から選択する復調方式選択手段を備え、
前記復調方式選択手段によって選択された復調方式で前記階層的に変調されたデータを復調することを特徴とする復調装置。
【請求項７】
請求項６記載の復調装置において、
前記復調方式選択手段は、前記複数の復調方式の中から、前記階層的に変調されたデータの復調に用いる復調方式をサービスエリアのトラヒックに応じて選択することを特徴とする復調装置。
【請求項８】
請求項６記載の復調装置において、
前記復調方式選択手段は、前記複数の復調方式の中から、前記階層的に変調されたデータの復調に用いる復調方式を伝搬環境に応じて選択することを特徴とする復調装置。
【請求項９】
請求項６記載の復調装置において、
前記復調方式選択手段は、前記複数の復調方式の中から、前記階層的に変調されたデータの復調に用いる復調方式をサービス要求に応じて選択することを特徴とする復調装置。
【請求項１０】
請求項５記載の復調装置において、
前記階層復調手段は、前記変調装置が前記階層的に変調されたデータ送信時に合わせて送信する変調方式の標本化パターンを受信した際に、その標本化パターンに基づいて前記階層的に変調されたデータを復調する標本化パターン受信復調手段を備えたことを特徴とする復調装置。
【請求項１１】
複数の変調方式を用いてデータを変調し、その変調したデータを復調装置に送信する変調方法において、
前記データを前記複数の変調方式で階層的に変調し、
その階層的に変調されたデータを前記復調装置に送信することを特徴とする変調方法。
【請求項１２】
請求項１１記載の変調方法において、
変調方式に応じた標本間隔で前記データを標本化させる標本化パターンを生成し、
この標本化パターンに基づいて標本化された前記データのデジタル信号を元に該データを階層的に変調することを特徴とする変調方法。
【請求項１３】
請求項１２記載の変調方法において、
前記標本化パターンは、多相ＰＳＫ（Ｐｈａｓｅ　Ｓｈｉｆｔ　Ｋｅｙｉｎｇ）又は多値ＱＡＭ（Ｑｕａｄｒａｔｕｒｅ　Ａｍｐｌｉｔｕｄｅ　Ｍｏｄｕｌａｔｉｏｎ）で用いられる信号の標本間隔をパターン化したものであることを特徴とする変調方法。
【請求項１４】
請求項１２又は１３記載の変調方法において、
前記生成された標本化パターンを、変調された前記データと合わせて送信することを特徴とする変調方法。
【請求項１５】
変調装置にて複数の変調方式で変調されたデータを受信して復調する復調方法において、
前記変調装置にて複数の変調方式で階層的に変調された前記データを受信し、
その受信した前記階層的に変調されたデータを、特定階層の復調方式で復調することを特徴とする復調方法。
【請求項１６】
請求項１５記載の復調方法において、
前記階層的に変調されたデータの復調に用いる復調方式を、複数の復調方式の中から選択し、
その選択された復調方式で前記階層的に変調されたデータを復調することを特徴とする復調方法。
【請求項１７】
請求項１６記載の復調方法において、
前記複数の復調方式の中から、前記階層的に変調されたデータの復調に用いる復調方式をサービスエリアのトラヒックに応じて選択することを特徴とする復調方法。
【請求項１８】
請求項１６記載の復調方法において、
前記複数の復調方式の中から、前記階層的に変調されたデータの復調に用いる復調方式を伝搬環境に応じて選択することを特徴とする復調方法。
【請求項１９】
請求項１６記載の復調方法において、
前記複数の復調方式の中から、前記階層的に変調されたデータの復調に用いる復調方式をサービス要求に応じて選択することを特徴とする復調方法。
【請求項２０】
請求項１５記載の復調方法において、
前記変調装置が前記階層的に変調されたデータ送信時に合わせて送信する変調方式の標本化パターンを受信した際に、その標本化パターンに基づいて前記階層的に変調されたデータを復調することを特徴とする復調方法。
【発明の詳細な説明】
【０００１】
【発明の属する技術分野】
本発明は、変復調装置及び変復調方法に係り、特に、デジタル通信に用いられる変復調装置及び変復調方法に関する。
【０００２】
【従来の技術】
携帯電話やＢＳテレビ放送など、近年の無線通信にはデジタル変調方式が採用されている。例えば、デジタル移動通信に用いられる変調方式の代表にＱＰＳＫ（Ｑｕａｄｒａｔｕｒｅ　Ｐｈａｓｅ　Ｓｈｉｆｔ　Ｋｅｙｉｎｇ）と１６ＱＡＭ（Ｑｕａｄｒａｔｕｒｅ　Ａｍｐｌｉｔｕｄｅ　Ｍｏｄｕｌａｔｉｏｎ）がある。
【０００３】
ＱＰＳＫは、１シンボル時刻ごとに２ビットずつ伝送する４値伝送方式で４つの位相点を取り得る変調方式である。図９は、ＱＰＳＫにおける変調信号の位相と振幅を、位相の同相成分と直交成分をそれぞれＩ軸（実数）、Ｑ軸（虚数）として位相平面上に表現したもので、信号点配置図または信号空間図（Ｓｉｇｎａｌ　ｄｉａｇｒａｍ）等と呼ばれている。図９に示すように、ＱＰＳＫの場合、位相平面上の正方形の各頂点に変調信号が配置され、４つの位相により送信信号が表現されるようになっている。
【０００４】
上記のようなＱＰＳＫから派生し第二世代の移動通信システムと呼ばれるＰＤＣ（Ｐｅｒｓｏｎａｌ　Ｄｉｇｉｔａｌ　Ｃｅｌｌｕｌａｒ）方式の携帯電話に用いられている変調方式として、π／４シフトＱＰＳＫ変調方式がある。このπ／４シフトＱＰＳＫ変調方式は、１シンボルごとにπ／４ずつ位相回転する搬送波軸を用いた４値伝送方式である。また、第三世代の移動通信システムと呼ばれるＩＭＴ−２０００（Ｉｎｔｅｒｎａｔｉｏｎａｌ　Ｍｏｂｉｌｅ　Ｔｅｌｅｃｏｍｍｕｎｉｃａｔｉｏｎ−２０００）の無線アクセス方式の一つとして採用されているＷ−ＣＤＭＡ通信方式のＦＤＤモードでは、上り回線のデータ変調にＢＰＳＫ（Ｂｉｎａｒｙ　Ｐｈａｓｅ　Ｓｈｉｆｔ　Ｋｅｙｉｎｇ）、下り回線のデータ変調にＱＰＳＫが、ＴＤＤモードでは、上り・下り回線のデータ変調にＱＰＳＫが採用されている。
【０００５】
一方、１６ＱＡＭは、搬送波の振幅と位相を使用して、１シンボル時刻ごとに４ビットずつ情報を伝送する１６値伝送方式で、信号点配置図は、図１０で示される。１６ＱＡＭの場合、入力ビット列の４ビットを２ビットずつに分割する。そして、９０度位相の異なる二つのキャリアを、それぞれが表す四つの状態で振幅変調して合成することで、同図に示す位相平面図が得られる。同図においてＩ軸、Ｑ軸の目盛りを（−０．９４８７，−０．３１６２，０．３１６２，０．９４８７）とする。この１６ＱＡＭを前述したＱＰＳＫと同じ伝送速度で比較した場合、１６ＱＡＭの占有帯域幅はＱＰＳＫより狭帯域の帯域幅となる。このように１６ＱＡＭは、高速デジタル伝送を狭帯域で実現するのに有功であるが、フェ−ジング（無線の送信者と受信者の距離や時間の変化によって、電波の強度が変化する現象）の影響を受けやすいという欠点もある。上記のような１６ＱＡＭは、デジタルＭＣＡ（業務用無線）等で利用されている。
【０００６】
上記のように、デジタル移動通信で用いられる変調方式にはＱＰＳＫと１６ＱＡＭがある。これら二つの変調方式に対応できるハードウェアがあれば、製品の部品コストやスペースの削減、あるいは使い勝手の向上など製造メーカ、利用者双方にとってのメリットは大きいものと考えられる。このような点に着目し、１つのシステムでＱＡＭ変調信号とＱＰＳＫ変調信号を復調する復調技術がある。この復調技術は、変調信号を選別する選別器を設け、選別器で信号経路を切り替えることによって、１つのシステムでＱＡＭ変調信号とＱＰＳＫ変調信号の復調を可能にするものである（例えば、特許文献１参照）。
【０００７】
【特許文献１】
特開平９−２７５４２６号公報。
【０００８】
【発明が解決しようとする課題】
上記のようにデジタル移動通信用いられる変調方式は複数ある。ところが、送信能力と受信能力の差により、復調側で対応している変調方式がＱＰＳＫのみの場合は１６ＱＡＭで送信されたデータを復調することはできない。このような場合、復調側で１６ＱＡＭ復調器を別に用意するか、あるいは上述した従来技術による解決が図られる。前者による解決を試みた場合、復調側に他の復調器を付加せねばならず、回路規模の増大とコスト増を招いてしまう。一方、後者による従来技術は、ＱＡＭ変調波を復調する場合はＱＡＭ復調器の機能になるような信号路と、ＱＰＳＫ変調波を復調する場合はＱＰＳＫ復調器の機能になるような信号路を確保し、必要に応じていずれかの変調方式が選別される構成となるため、回路構成上、ＱＡＭ復調器の機能とＱＰＳＫ復調器の機能の実装がかかせない。
【０００９】
本発明は、上記のような問題点に鑑みてなされたもので、その課題とするところは、送受信側の変復調方式の能力が異なっても回路規模を増大させることなく受信側の復調能力に応じてデータを復調することのできる変復調装置及び変復調方法を提供することである。
【００１０】
【課題を解決するための手段】
上記課題を解決するため、本発明は、請求項１に記載されるように、複数の変調方式を用いてデータを変調し、その変調したデータを復調装置に送信する変調装置において、前記データを前記複数の変調方式で階層的に変調する階層変調手段と、前記階層変調手段により階層的に変調されたデータを前記復調装置に送信する送信手段と、を備えたことを特徴としている。
【００１１】
本発明の請求項２は、前記変調装置において、前記階層変調手段は、変調方式に応じた標本間隔で前記データを標本化させる標本化パターンを生成する変調方式別標本化パターン生成手段を備え、この標本化パターンに基づいて標本化された前記データのデジタル信号を元に該データを階層的に変調することを特徴としている。
【００１２】
本発明の請求項３は、前記変調装置において、前記標本化パターンは、多相ＰＳＫ（Ｐｈａｓｅ　Ｓｈｉｆｔ　Ｋｅｙｉｎｇ）又は多値ＱＡＭ（Ｑｕａｄｒａｔｕｒｅ　Ａｍｐｌｉｔｕｄｅ　Ｍｏｄｕｌａｔｉｏｎ）で用いられる信号の標本間隔をパターン化したものであることを特徴としている。
【００１３】
本発明の請求項４は、前記変調装置において、前記送信手段は、前記変調方式別標本化パターン生成手段によって生成された標本化パターンを、前記変調手段によって変調されたデータと合わせて送信する標本パターン送信手段を備えたことを特徴としている。
【００１４】
本発明の請求項５は、変調装置にて複数の変調方式で変調されたデータを受信して復調する復調装置において、前記変調装置にて複数の変調方式で階層的に変調されたデータを受信する受信手段と、前記階層的に変調されたデータを特定階層の復調方式で復調する階層復調手段と、を備えたことを特徴としている。
【００１５】
本発明の請求項６は、前記復調装置において、前記階層復調手段は、前記階層的に変調されたデータの復調に用いる復調方式を、複数の復調方式の中から選択する復調方式選択手段を備え、前記復調方式選択手段によって選択された復調方式で前記階層的に変調されたデータを復調することを特徴としている。
【００１６】
本発明の請求項７は、前記復調装置において、前記復調方式選択手段は、前記複数の復調方式の中から、前記階層的に変調されたデータの復調に用いる復調方式をサービスエリアのトラヒックに応じて選択することを特徴としている。
【００１７】
本発明の請求項８は、前記復調装置において、前記復調方式選択手段は、前記複数の復調方式の中から、前記階層的に変調されたデータの復調に用いる復調方式を伝搬環境に応じて選択することを特徴としている。
【００１８】
本発明の請求項９は、前記復調装置において、前記復調方式選択手段は、前記複数の復調方式の中から、前記階層的に変調されたデータの復調に用いる復調方式をサービス要求に応じて選択することを特徴としている。
【００１９】
本発明の請求項１０は、前記復調装置において、前記階層復調手段は、前記変調装置が前記階層的に変調されたデータ送信時に合わせて送信する変調方式の標本化パターンを受信した際に、その標本化パターンに基づいて前記階層的に変調されたデータを復調する標本化パターン受信復調手段を備えたことを特徴としている。
【００２０】
上記本発明の構成によれば、複数の変調方式で送信データを階層的に変調するため、復調側は、変調側で持っている複数の変調方式をすべて備えなくても特定階層の復調方式のみ持っていればデータを復調することができる。それゆえ、送受信側の変復調方式の能力が異なっても受信側の復調能力に応じたデータ復調が実現でき、回路規模を増大させないで済む。また、復調側で選択可能な複数の復調方式を備え、その複数の復調方式の中から、最適となる復調方式が伝搬環境等の状況に応じて選択されるので、伝搬環境等による劣化が生じても通信を途断させることなく、維持することが可能である。
【００２１】
【発明の実施の形態】
以下、本発明の実施の形態を図面に基づいて説明する。
【００２２】
本発明の実施の一形態に係る変調装置と復調装置は、例えば、モデム（Ｍｏｄｅｍ：変復調装置）であり、図１に示すように構成される。本例では、変復調装置を例にとり、以下、説明を進める。
【００２３】
図１において、この変復調装置は、物理的に離れた位置に配置され、それぞれの変復調装置Ａ１００、Ｂ２００は無線区間を介してデータの送受信を行なう。変復調装置Ａ１００、Ｂ２００は同一構成をとり、送信データを階層的に変調する変調装置１０、２０と、受信信号を受信能力に応じて復調する復調装置１１、２１が備えられる。以下、一方の変復調装置（本例では、変復調装置Ａとする）を例にとり、本発明に係る変復調装置の構成について説明する。
【００２４】
図１に示す変復調装置Ａ１００の変調装置１０は、例えば、図２に示すように構成される。
【００２５】
図２において、この変調装置１０は、変調方式別標本パターン生成部１、変調部２、送信部３から構成される。変調方式別標本パターン生成部１は、変調方式別に標本化パターンを生成して変調部２に出力する。この標本化パターンは、時間方向の離散化を行なう標本化（周期）の情報と振幅方向の離散化を行なう標本化（標本間隔）の情報をパターン化したもので、変調方式別標本パターン生成部１は、変調方式に応じた標本化パターンの生成機能が備えられる。変調部２は、入力された送信データを、変調方式別標本パターン生成部１から出力される変調式別標本化パターンに基づいて標本化（Ａ／Ｄ変換）し、その標本化されたデータ（デジタルデータ）を元に階層的に変調する。ここでいう送信データの階層的変調については後述する。送信部３は、変調部２で階層変調された送信データの変調信号を無線周波数信号に変換して出力する。
【００２６】
図３は、図１に示す変復調装置Ａ１００の復調装置１１の構成を示すブロック図である。
【００２７】
図３において、この復調装置１１は、受信部４、復調方式選択部５、復調部６から構成される。受信部４は、伝送媒体（本例の場合、伝送媒体は無線）を介して受信した受信信号を周波数変換等のＲＦ処理を施して復調部６に出力する。復調方式選択部５は、復調部６が持っている復調能力もしくは選択可能復調方式等から復調方式を選択し、データを復調する際の復調方式を復調部６に指示する。復調部６は復調方式選択部５からの指示される復調方式で受信信号の復調を行ない、受信データを得る。
【００２８】
上記のようにして構成される変復調装置Ａ１００は無線区間を介して変復調装置Ｂ２００と接続し、データの送受信が行なわれる。本例では、説明を平易にするために、変復調装置Ａ１００からの送信信号を変復調装置Ｂ２００で受信する場合を想定し、以下、説明を進める。
【００２９】
（変復調装置Ａ１００における送信側の動作説明）
送信側の変調装置１０で行なわれる複数の変調方式による送信データの階層的変調について説明する。ここでは、複数の変調方式として、多値ＱＡＭとして１６ＱＡＭ、多相ＰＳＫとしてＱＰＳＫを一例に取り上げる。複数の変調方式として１６ＱＡＭ、ＱＰＳＫがある場合、変調方式別標本パターン生成部１では、１６ＱＡＭとＱＰＳＫの標本化パターンが生成される。すなわち、▲１▼サンプリング周期（Ｂｔ）毎に１６値の標本間隔で送信データを標本化（振幅方向の離散化）させるための１６ＱＡＭ用標本化パターンと、▲２▼サンプリング周期（Ｂｔ）毎に４値の標本間隔で送信データを標本化させるためのＱＰＳＫ用標本化パターンが生成される。
【００３０】
図４は、変調部２において送信データを１６ＱＡＭとＱＰＳＫの標本化パターン（上記▲１▼、▲２▼）で標本化し階層変調した場合の変調例図である。同図において、曲線Ａは、送信データを表す音声等のアナログ情報である。このような連続したアナログ情報を横軸の周期で標本化し、縦軸の標本間隔で量子化して送信するデジタル通信の場合、縦軸１目盛りに該当する標本間隔が短いほど、サンプル値からもとの連続時間信号を完全に復元することができる。つまり、元の情報の復元精度が良くなる。
【００３１】
同図に示すように、１６ＱＡＭ用標本パターン（上記▲１▼）に基づいて標本化・量子化された送信データＢ１〜Ｂ１６（４ビットのデータ）は、同図中の●印で表され、図１０に示した１６ＱＡＭの信号点配置と図５の表に示す信号点配置と変調信号の対応関係から、図６の表に示す変調信号が得られる。図６の表に示されたＢ１〜Ｂ１６に対応する変調信号は、図７に示す該当の信号点（●）に配置（マッピング）される。例えば、Ｂ１の１６ＱＡＭ信号（１１１１）の変調信号−０．９４８７−０．９４８ｉは第三象限の信号点●１１１１に、Ｂ２の１６ＱＡＭ信号（１１１０）の変調信号−０．９４８７−０．３１６２ｉは第三象限の信号点●１１１０に、以下、同様にしてＢ３以降の１６ＱＡＭ信号が配置される。
【００３２】
図４に戻り、ＱＰＳＫ用標本パターン（上記▲２▼）に基づいて標本化・量子化された送信データＢ１〜Ｂ１６（２ビットのデータ）は、同図中の■印で表される。ＱＰＳＫは、９０°ごとに異なる４値の位相を用いて変調する方式なので、ＱＰＳＫ用標本パターンには、４値（００，１０，１１，０１）の標本間隔で送信データを標本化させるための情報が含まれる。これら４値の変調位相は、
（００）：π／４
（１０）：３π／４
（１１）：−３π／４
（０１）：−π／４
であり、この４値の信号点を図７に示す１６ＱＡＭの信号点と同じ座標軸で階層化させると図７に示すように配置される。図７は変調装置１０での１６ＱＡＭ・ＱＰＳＫ階層変調時の１６ＱＡＭとＱＰＳＫ信号点の対応関係を示した図で、同図に示すように、１６ＱＡＭの第一象限（００００，０００１，００１０，００１１）の●４点はＱＰＳＫの信号空間では（００）の■１点に対応し、この２ビットのデータがπ／４（変調位相）にマッピングされる。同様に、第二象限（１０００，１００１，１０１０，１１１１）●４点はＱＰＳＫの信号空間では、（１０）の■１点に対応し、この２ビットのデータが３π／４にマッピングされる。第三象限（１１００，１１０１，１１１０，１１１１）●４点はＱＰＳＫの信号空間では、（１１）の■１点に対応し、この２ビットのデータが−３π／４にマッピングされる。第四象限（０１００，０１０１，０１１０，０１１１）●４点はＱＰＳＫの信号空間では、（０１）の■１点に対応し、この２ビットのデータが−π／４にマッピングされる。
【００３３】
すなわち、１６ＱＡＭとＱＰＳＫの信号空間上のデータは同じ座標を持つレイヤ構造として階層化されることになる。このことを本実施形態では、送信データの階層変調と呼ぶ。
【００３４】
次に、上記のようにして１６ＱＡＭとＱＰＳＫによる階層変調が行なわれた送信データを復調装置１１にて復調する場合を説明する。
【００３５】
（変復調装置Ｂ２００における受信側の動作説明）
変復調装置Ｂ２００の復調装置１１の復調部６は、上記階層変調された信号を、無線区間を介して受信部４が受信した後、１６ＱＡＭの復調機能を備えていれば、そのまま受信した信号を受け取って１６ＱＡＭで復調する。しかし、１６ＱＡＭ信号の復調機能を備えていなくＱＰＳＫ信号の復調機能しか備えていない場合は、以下のようにして受信した１６ＱＡＭ信号をＱＰＳＫで復調する。
【００３６】
復調部６は、受信した１６ＱＡＭ信号がどの象限に属するかを識別し、属している象限に対応するＱＰＳＫの信号点を認識することで受信信号をＱＳＰＫ復調する。例えば、受信した１６ＱＡＭ信号が第一象限（００００，０００１，００１０，００１１）に示す●の４点のいずれかであった場合、その受信した１６ＱＡＭ信号のビット列の最初の２ビット（この場合、００）から同第一象限に階層化されているＱＰＳＫの■１点（００）を認識する。復調部６は、このようにして１６ＱＡＭ信号Ｂ１〜Ｂ１６を順次、ＱＰＳＫ復調すると、図８の表に示すＱＰＳＫ復調結果が得られる。復調部６はこのようにして送信データをＱＰＳＫで復調した後、得られた復調データを次段に出力する。
【００３７】
上述したように、本実施形態によれば、複数の変調方式で送信データを階層的に変調するため、復調側は、変調側で持っている複数の変調方式をすべて備えなくても特定階層の復調方式のみ持っていればデータを復調することができる。それゆえ、送受信側の変復調方式の能力が異なっても受信側の復調能力に応じたデータ復調が実現でき、回路規模を増大させないで済む。上記実施形態では、復調部６が、ＱＰＳＫ信号の復調機能しか持っていないことを想定したが、本発明はこのような実施形態に限定されるものではない。例えば、復調部６が選択可能な複数の復調方式を備え、その復調方式の中から最適な復調方式を選択し、データを復調するような形態であってもよい。その場合、復調部６が持っている複数の復調方式の選択指示は、復調方式選択部５においてなされる。例えば、復調方式選択部５では、復調部６が持つ復調能力を管理し、サービスエリアのトラヒック、伝搬環境、サービス要求等に応じて最適な復調方式を決定し、復調部６に指示する。例えば、復調部６で持っている復調方式が１６ＱＡＭとＱＰＳＫの二つであった場合、復調方式選択部５は、前述したサービスエリアのトラヒック、伝搬環境、サービス要求等に応じて１６ＱＡＭとＱＰＳＫのいずれを選択して復調部６に指示する。本例のように、変復調装置間が無線で接続され、さらに一方が移動して用いられる移動通信環境では、フェージング変動の影響が復調方式決定の際に考慮される。例えば、瞬時フェージング変動の影響が大きい伝搬環境では、変調多値数の少ないＱＰＳＫが復調方式として選択され、可能な限り所定の品質を満たすデータの復調がなされる。一方、瞬時フェージング変動の影響が小さい伝搬環境では、変調多値数を多くした１６ＱＡＭが復調方式として選択（単位周波数あたりの利用効率が優れているため）され、高い伝送品質を目的したデータの復調がなされる。このように、本実施形態によれば、伝搬環境による劣化があっても、その状態にみあう最適な復調方式が選択されるので、通信を途断させることなく、維持することが可能である。また、サービスエリアのトラヒック、サービス要求に応じて復調方式を選択することで、利便性を向上させることができる。
【００３８】
また、上記実施形態は、送信側の変調装置１０で階層変調された信号を受信側復調装置２１に送信するという形態であったが、このとき、送信側の変調装置１０は階層変調された信号とともに前述した標本化パターンをあわせて送信してもよい。その場合、受信側の復調装置２１は、その標本化パターンを用いて受信信号の復調ができるので、復調部６は複数の復調方式を持たなくてもよく、特定階層の復調方式のみ持てばよい。
【００３９】
なお、上記実施の形態においては、無線回線を介してデータを送受信する場合について説明したが、その他の伝送媒体（有線等）を介してデータを送受信する場合にも、本発明を適用することが可能である。また、無線回線を介してデータを送受信する場合、図１に示す変復調装置Ａ１００を移動通信用の移動局側に、変復調装置Ｂ２０を移動通信用の基地局に実装してもよい。
【００４０】
また、上記実施形態では、階層化される変調方式として１６ＱＡＭとＱＰＳＫを取り上げて説明してきたが、多値ＱＡＭとして１６値を越える多値（１２８、２５６）ＱＡＭであっても、多相ＱＰＳＫとしてπ／４シフトＱＰＳＫ、ＢＰＳＫ等であっても本発明を適用することができる。
【００４１】
さらに、上記実施形態では、本発明の一実施形態として変復調装置を例にとり、説明してきたが、変調装置と復調装置を独立して設置しても本発明の主旨を逸脱するものではない。
【００４２】
以上説明したように、上記実施の形態においては、複数の変調方式で階層的に変調された信号を送信するようにしている。したがって、復調側では、階層化された変調方式のうち特定階層の復調方式さえあれば、データを復調することができる。また、復調側が選択可能な複数の復調方式を備えることにより、伝搬環境等に応じた復調方式での復調が可能となる。
【００４３】
上記例において、変調装置１０の変調部２の変調機能が階層変調手段に、送信部３のデータ送信機能が送信手段、標本パターン送信手段に、変調方式別標本パターン生成部１の標本パターン生成機能が変調方式別標本化パターン生成手段に対応する。また、復調装置２１の復調部６のデータ復調機能が階層復調手段、受信部４のデータ受信機能が受信手段に、復調方式選択部３の復調方式選択機能が復調方式選択手段に対応する。変調装置１０から送られてきたデータ変調時の標本化パターンに基づいてデータを復調する復調機能が標本化パターン受信復調手段に対応する。
【００４４】
【発明の効果】
以上、説明したように、本願発明によれば、複数の変調方式で送信データを階層的に変調するため、復調側は、変調側で持っている複数の変調方式をすべて備えなくても特定階層の復調方式のみ持っていればデータを復調することができる。それゆえ、送受信側の変復調方式の能力が異なっても受信側の復調能力に応じたデータ復調が実現でき、回路規模を増大させないで済む。また、復調側で選択可能な複数の復調方式を備え、その複数の復調方式の中から、最適となる復調方式が伝搬環境等の状況に応じて選択されるので、伝搬環境等による劣化が生じても通信を途断させることなく、維持することが可能である。
【図面の簡単な説明】
【図１】本発明の実施の一形態に係る変復調装置の構成例を示す図である。
【図２】図１に示す変調装置の構成を示すブロック図である。
【図３】図１に示す復調装置の構成を示すブロック図である。
【図４】図２に示す変調装置の変調動作例を示す図である。
【図５】１６ＱＡＭの変調信号例を示す図である。
【図６】送信データを１６ＱＡＭで変調した変調信号例を示す図である。
【図７】図２に示す変調装置での１６ＱＡＭ・ＱＰＳＫ階層変調時の１６ＱＡＭとＱＰＳＫ信号点の対応関係を示す図である。
【図８】１６ＱＡＭ信号をＱＰＳＫで復調した場合の復調結果を示す図である。
【図９】ＱＰＳＫの信号点配置を示す図である。
【図１０】１６ＱＡＭの信号点配置を示す図である。
【符号の説明】
１　変調方式別標本パターン生成部
２　変調部
３　送信部
４　受信部
５　復調方式選択部
６　復調部
１０、２０　変調装置
１１、２１　復調装置
１００　変復調装置Ａ
２００　変復調装置Ｂ
【図１】
2004128987.tif 000003
【図２】
2004128987.tif 000004
【図３】
2004128987.tif 000005
【図４】
2004128987.tif 000006
【図５】
2004128987.tif 000007
【図６】
2004128987.tif 000008
【図７】
2004128987.tif 000009
【図８】
2004128987.tif 000010
【図９】
2004128987.tif 000011
【図１０】
2004128987.tif 000012